(57)【要約】      （修正有）【課題】ＳＰＳの再構成時にシグナリングオーバーヘッドを低減させることができるサービス伝送のための方法及び移動局を提供する。【解決手段】移動局がＳＰＳの方式で第１リソース割り当てパラメータを使用して現在のサービスを伝送し、サービスの要求が変更された場合、ネットワークデバイスは、１つの制御シグナリングを介して、移動局が第２リソース割り当てパラメータセットを使用して第１リソース割り当てパラメータセットの代わりに、要求変更されたサービスを伝送するように指示するか又は第２リソース割り当てパラメータセットと第１リソース割り当てパラメータセットを使用して要求変更されたサービスを共通に伝送するように指示する。【選択図】図４
2020099088.tif 000002
【特許請求の範囲】
【請求項１】
サービス伝送のための方法であって、
移動局は、半静的スケジューリングＳＰＳの方式で、第１リソース割り当てパラメータセットを使用して現在のサービスを伝送することと、
前記移動局は、ネットワークデバイスにより送信された第１制御シグナリングを受信することと、
前記移動局は、前記第１制御シグナリングに従って、要求変更されたサービスを伝送することと、を含み、
前記第１制御シグナリングは、前記移動局がＳＰＳの方式で、第２リソース割り当てパラメータセットを使用して前記第１リソース割り当てパラメータセットの代わりに、要求変更されたサービスを伝送し、又は、第２リソース割り当てパラメータセットと前記第１リソース割り当てパラメータセットを使用して要求変更されたサービスを伝送することを指示するために用いられ、
前記第１リソース割り当てパラメータセットと前記第２リソース割り当てパラメータセットはいずれも、少なくとも１つのリソース割り当てパラメータを含む、前記サービス伝送のための方法。
【請求項２】
前記第２リソース割り当てパラメータセットは、前記ネットワークデバイスが新規追加された第２サービスの要求と現在伝送している第１サービスの要求に従って確定されたものであり、
前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記移動局が、前記第１制御シグナリングに従って、要求変更されたサービスを伝送することは、
前記移動局は、前記第２リソース割り当てパラメータセットを使用して前記第１サービスと前記第２サービスを伝送することを含む
請求項１に記載のサービス伝送のための方法。
【請求項３】
前記第２リソース割り当てパラメータセットは、前記ネットワークデバイスが新規追加された第２サービスの要求に従って確定されたものであり、
前記第１制御シグナリングは、前記移動局がＳＰＳの方式で、第２リソース割り当てパラメータセットと前記第１リソース割り当てパラメータセットを使用して要求変更されたサービスを伝送することを指示するために用いられ、
前記移動局が、前記第１制御シグナリングに従って、要求変更されたサービスを伝送することは、
前記移動局は前記第１リソース割り当てパラメータセットを使用して第１サービスを伝送することと、
前記移動局は前記第２リソース割り当てパラメータセットを使用して前記第２サービスを伝送することと、を含み、
前記第１制御シグナリングには、第１情報ドメインと第２情報ドメインが含まれ、前記第１情報ドメインは、前記第１リソース割り当てパラメータセットの情報をベアラするために用いられ、前記第２情報ドメインは、前記第２リソース割り当てパラメータセットの情報をベアラするために用いられる
請求項１に記載のサービス伝送のための方法。
【請求項４】
前記第２リソース割り当てパラメータセットは、前記ネットワークデバイスが現在伝送している第１サービスの要求の変更に従って確定されたものであり、
前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記移動局が、前記第１制御シグナリングに従って、要求変更されたサービスを伝送することは、
前記移動局は、前記第２リソース割り当てパラメータセットを使用して前記第１リソース割り当てパラメータセットの代わりに、要求変更された第１サービスを伝送することを含む
請求項１に記載のサービス伝送のための方法。
【請求項５】
リソース割り当てパラメータセットのうちのリソース割り当てパラメータは、
伝送周期、転送ブロックサイズ、転送ブロック数、転送ブロックの位置、アップリンク電力制御パラメータ、変調符号化方式ＭＣＳ及びハイブリッド自動再送要求ＨＡＲＱプロセス数のうちの少なくとも１つを含む
請求項１〜４のいずれか１項に記載のサービス伝送のための方法。
【請求項６】
前記移動局が前記ネットワークデバイスにより送信された第１制御シグナリングを受信する前に、前記方法は、さらに、
前記移動局は前記ネットワークデバイスにより送信された第２制御シグナリングを受信することを含み、
前記第２制御シグナリングは、Ｎ個のリソース割り当てパラメータセットを示すために用いられ、前記Ｎ個のリソース割り当てパラメータセットは、前記第１リソース割り当てパラメータセットと前記第２リソース割り当てパラメータセットを含む
請求項１〜５のいずれか１項に記載のサービス伝送のための方法。
【請求項７】
サービス伝送のための方法であって、
ネットワークデバイスは、移動局のサービス要求の変更に従って、第２リソース割り当てパラメータセットを確定することと、
前記ネットワークデバイスは、前記移動局に第１制御シグナリングを送信することと、を含み、
前記移動局は、現在、半静的スケジューリングＳＰＳの方式で、第１リソース割り当てパラメータセットを使用してサービスを伝送し、前記第１リソース割り当てパラメータセットと前記第２リソース割り当てパラメータセットはいずれも、少なくとも１つのリソース割り当てパラメータを含み、
前記第１制御シグナリングは、前記移動局がＳＰＳの方式で、第２リソース割り当てパラメータセットを使用して前記第１リソース割り当てパラメータセットの代わりに、要求変更されたサービスを伝送し、又は、第２リソース割り当てパラメータセットと前記第１リソース割り当てパラメータセットを使用して要求変更されたサービスを伝送することを指示するために用いられる、前記サービス伝送のための方法。
【請求項８】
前記ネットワークデバイスが、移動局のサービス要求の変更に従って、第２リソース割り当てパラメータセットを確定することは、前記ネットワークデバイスは新規追加された第２サービスの要求と現在伝送している第１サービスの要求に従って、前記第１サービスと前記第２サービスを伝送するための前記第２リソース割り当てパラメータセットを確定することを含み、
前記第１制御シグナリングは、前記移動局がＳＰＳの方式で、第２リソース割り当てパラメータセットを使用して前記第１リソース割り当てパラメータセットの代わりに、前記第１サービスと前記第２サービスを伝送することを指示するために用いられる
請求項７に記載のサービス伝送のための方法。
【請求項９】
前記ネットワークデバイスが、移動局のサービス要求の変更に従って、第２リソース割り当てパラメータセットを確定することは、前記ネットワークデバイスは、新規追加された第２サービスの要求に従って、前記第２サービスを伝送するための前記第２リソース割り当てパラメータセットを確定することと、前記ネットワークデバイスは、前記第１リソース割り当てパラメータセットをそのまま使用して第１サービスを伝送することと、を含み、
前記第１制御シグナリングは、前記移動局がＳＰＳの方式で、前記第１リソース割り当てパラメータセットを使用して前記第１サービスを伝送し、前記第２リソース割り当てパラメータセットを使用して前記第２サービスを伝送することを指示するために用いられ、
前記第１制御シグナリングには、第１情報ドメインと第２情報ドメインが含まれ、前記第１情報ドメインは、前記第１リソース割り当てパラメータセットの情報をベアラするために用いられ、前記第２情報ドメインは、前記第２リソース割り当てパラメータセットの情報をベアラするために用いられる、
請求項７に記載のサービス伝送のための方法。
【請求項１０】
前記ネットワークデバイスが、移動局のサービス要求の変更に従って、第２リソース割り当てパラメータセットを確定することは、前記ネットワークデバイスは、現在伝送している第１サービスの要求の変更に従って、要求変更された第１サービスを伝送するための前記第２リソース割り当てパラメータセットを確定することを含み、
前記第１制御シグナリングは、前記移動局がＳＰＳの方式で、第２リソース割り当てパラメータセットを使用して前記第１リソース割り当てパラメータセットの代わりに、要求変更された第１サービスを伝送することを指示するために用いられる
請求項７に記載のサービス伝送のための方法。
【請求項１１】
ネットワークデバイスが、移動局のサービス要求の変更に従って、第２リソース割り当てパラメータセットを確定する前に、前記方法は、さらに、
前記ネットワークデバイスは前記移動局に第２制御シグナリングを送信することを含み、
前記第２制御シグナリングは、Ｎ個のリソース割り当てパラメータセットを示すために用いられ、前記Ｎ個のリソース割り当てパラメータセットは、前記第１リソース割り当てパラメータセットと前記第２リソース割り当てパラメータセットを含む
請求項７〜１０のいずれか１項に記載のサービス伝送のための方法。
【請求項１２】
移動局であって、
半静的スケジューリングＳＰＳの方式で、第１リソース割り当てパラメータセットを使用して現在のサービスを伝送するように構成される処理モジュールと、
ネットワークデバイスにより送信された第１制御シグナリングを受信するように構成される受信モジュールと、を含み、
前記第１制御シグナリングは、前記移動局がＳＰＳの方式で、第２リソース割り当てパラメータセットを使用して前記第１リソース割り当てパラメータセットの代わりに、要求変更されたサービスを伝送し、又は、第２リソース割り当てパラメータセットと前記第１リソース割り当てパラメータセットを使用して要求変更されたサービスを伝送することを指示するために用いられ、
前記処理モジュールは、さらに、前記第１制御シグナリングに従って、要求変更されたサービスを伝送するように構成され、ここで、前記第１リソース割り当てパラメータセットと前記第２リソース割り当てパラメータセットはいずれも、少なくとも１つのリソース割り当てパラメータを含む、前記移動局。
【請求項１３】
前記第２リソース割り当てパラメータセットは、前記ネットワークデバイスが新規追加された第２サービスの要求と現在伝送している第１サービスの要求に従って確定されたものであり、前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記処理モジュールは、具体的に、
前記第２リソース割り当てパラメータセットを使用して前記第１サービスと前記第２サービスを伝送するように構成される
請求項１２に記載の移動局。
【請求項１４】
前記第２リソース割り当てパラメータセットは、前記ネットワークデバイスが新規追加された第２サービスの要求に従って確定されたものであり、前記第１制御シグナリングは、前記移動局がＳＰＳの方式で、第２リソース割り当てパラメータセットと前記第１リソース割り当てパラメータセットを使用して要求変更されたサービスを伝送することを指示するために用いられ、
前記処理モジュールは、具体的に、
前記第１リソース割り当てパラメータセットを使用して第１サービスを伝送し、前記第２リソース割り当てパラメータセットを使用して前記第２サービスを伝送するように構成され、
前記第１制御シグナリングには、第１情報ドメインと第２情報ドメインが含まれ、前記第１情報ドメインは、前記第１リソース割り当てパラメータセットの情報をベアラするために用いられ、前記第２情報ドメインは、前記第２リソース割り当てパラメータセットの情報をベアラするために用いられる
請求項１２に記載の移動局。
【請求項１５】
前記第２リソース割り当てパラメータセットは、前記ネットワークデバイスが現在伝送している第１サービスの要求の変更に従って確定されたものであり、前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記処理モジュールは、具体的に、
前記第２リソース割り当てパラメータセットを使用して前記第１リソース割り当てパラメータセットの代わりに、要求変更された第１サービスを伝送するように構成される
請求項１２に記載の移動局。
【発明の詳細な説明】
【技術分野】
【０００１】
本発明は、通信分野に関し、具体的には、サービス伝送のための方法、移動局及びネットワークデバイスに関する。
【背景技術】
【０００２】
未来のセルラーネットワークシステムの応用分野は、人間と人間との従来の通信から、人間と物との通信又は物と物との通信に拡張されている。従来のロングタームエボリューション（ＬＴＥ：Ｌｏｎｇ  Ｔｅｒｍ  Ｅｖｏｌｕｔｉｏｎ）システムにおいて、マシンタイプ通信（ＭＴＣ：Ｍａｃｈｉｎｅ  Ｔｙｐｅ  Ｃｏｍｍｕｎｉｃａｔｉｏｎ）サービス、車両−外部（Ｖ２Ｘ：Ｖｅｈｉｃｌｅ  ｔｏ  Ｘ）サービス等の関連研究が既に始まっており、ここで、ＭＴＣサービスは、モノのインターネットとも呼ばれる。
【０００３】
未来の５Ｇシステムにおいて、それに対応して以下の代表的なサービスシーンが存在する。高スループット、高容量、高スペクトル効率のモバイルブロードバンド（ＭＢＢ：Ｍｏｂｉｌｅ  Ｂｒｏａｄｂａｎｄ）サービス、例えばボイスオーバＬＴＥ（ＶｏＬＴＥ：Ｖｏｉｃｅ  ｏｖｅｒ  Ｌｏｎｇ  Ｔｅｒｍ  Ｅｖｏｌｕｔｉｏｎ）サービス、低電力消費の大量ＭＴＣ（Ｍａｓｓｉｖｅ  ＭＴＣ）サービス、低レイテンシや超信頼性のＭＴＣ（Ｌｏｗ−Ｌａｔｅｎｃｙ＆Ｕｌｔｒａ−Ｒｅｌｉａｂｌｅ  ＭＴＣ）サービス、例えば、Ｖ２Ｘサービス等がある。これらのシーンにおいて、周期的なサービス伝送は、１つの代表的なサービス伝送方式となる。
【０００４】
一方、通信技術の発展に伴い、ＬＴＥシステムは、例えば、動的スケジューリング、静的スケジューリング及び半静的スケジューリング（ＳＰＳ：Ｓｅｍｉ−Ｐｅｒｓｉｓｔｅｎｔ  Ｓｃｈｅｄｕｌｉｎｇ）などの多くの種類のスケジューリング方式を提供することができている。
【０００５】
ここで、半静的スケジューリングは、半永続スケジューリングとも呼ばれ、即ち、一定の周期に従って、ユーザーにリソースを割り当てることで、該周期内の全てのリソース割り当てにおいて、スケジューリングシグナリングによって指示する必要がない。動的スケジューリングと比べ、このようなスケジューリング方式の融通性がやや悪いが、制御シグナリングオーバーヘッドが小さいため、突発特性が明らかでない、レート確保要求があるサービス、例えば、上記のＶｏＬＴＥサービス、Ｖ２Ｘサービス等に適合する。ニーズに応じて、異なるサービス又は異なるサービスタイプに対し、通常異なるＳＰＳリソースを配置する必要がある。
【０００６】
従来技術において、ユーザーは、一般的に、ある時間帯において１つのサービスタイプのサービスのみを伝送し、ユーザーが伝送するサービスタイプに応じて、ネットワーク側のデバイスは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によって、それに1つのＳＰＳリソースを割り当てる。サービス伝送が完了した時に、ネットワーク側のデバイスは、ＰＤＣＣＨによってＳＰＳリソースを解放する。ユーザーが新しいサービスタイプのサービスを伝送する場合、ネットワーク側のデバイスは、再度に、ＰＤＣＣＨを送信して新しいＳＰＳリソースを割り当てる。なお、あるサービスがニーズに応じて、その受信周期又は送信周期が変更され、又はサービス伝送中のデータパケットのサイズが変更された場合、上記のプロセスに従ってＳＰＳリソースの解放及び再割り当てを行う必要がまだある。上記の過程により、多くのＰＤＣＣＨリソースの占用を引き起こすことになる。
【０００７】
なお、従来技術のいくつかの特別な場合において、ユーザーは、現在のサービスを伝送する以外に、他のサービスタイプのサービスを一時に伝送する可能性がある。この場合、ネットワーク側のデバイスは、一般的、ＰＤＣＣＨによって動的スケジューリングの方式を利用して、現在サブフレームのＳＰＳリソースの構成を一時に指示する。新しいサービスも周期一定なものであり、次のサブフレームのＳＰＳリソースの構成は、要求に従って、依然としてＰＤＣＣＨによって動的スケジューリングの方式を使用して指示する必要がある。該方式によって、ＳＰＳリソースの構成に関する課題をタイムリーに解決することができるが、各サブフレームにＳＰＳリソースの構成を行うため、多くのＰＤＣＣＨリソースの占用を引き起こす。
【発明の概要】
【発明が解決しようとする課題】
【０００８】
本発明の実施例は、ＳＰＳの再構成を行い、シグナリングオーバーヘッドを低減させることができるサービス伝送のための方法、移動局及びネットワークデバイスを提供する。
【課題を解決するための手段】
【０００９】
第１形態は、サービス伝送のための方法を提供し、
移動局は、半静的スケジューリングＳＰＳの方式で、第１リソース割り当てパラメータセットを使用して現在のサービスを伝送することと、
前記移動局は、ネットワークデバイスにより送信された第１制御シグナリングを受信することと、
前記移動局は、前記第１制御シグナリングに従って、要求変更されたサービスを伝送することと、を含み、
前記第１制御シグナリングは、前記移動局がＳＰＳの方式で、第２リソース割り当てパラメータセットを使用して前記第１リソース割り当てパラメータセットの代わりに、要求変更されたサービスを伝送し、又は、第２リソース割り当てパラメータセットと前記第１リソース割り当てパラメータセットを使用して要求変更されたサービスを伝送することを指示するために用いられ、
前記第１リソース割り当てパラメータセットと前記第２リソース割り当てパラメータセットはいずれも、少なくとも１つのリソース割り当てパラメータを含む。
【００１０】
なお、前記第１リソース割り当てパラメータセットと前記第２リソース割り当てパラメータセットはいずれも、前記ネットワークデバイスが前記移動局に割り当てた、ＳＰＳを行うためのリソース割り当てパラメータセットである。
【００１１】
なお、本発明の伝送は、アップリンク伝送とダウンリンク伝送、即ち、移動局の送信及び移動局の受信を含む。
【００１２】
なお、移動局が、半静的スケジューリングＳＰＳの方式で、第１リソース割り当てパラメータセットを使用して現在のサービスを伝送する前に、前記方法は、さらに、
前記移動局はネットワークデバイスにより送信された第３制御シグナリングを受信することを含み、前記第３制御シグナリングは、前記移動局が半静的スケジューリングＳＰＳの方式で、第１リソース割り当てパラメータセットを使用してサービスを伝送することを指示するために用いられる。
【００１３】
第１形態を結合し、第１実現可能な方式において、前記第２リソース割り当てパラメータセットは、前記ネットワークデバイスが新規追加された第２サービス要求と現在伝送している第１サービス要求に従って確定されたものであり、前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記移動局が、前記第１制御シグナリングに従って、要求変更されたサービスを伝送することは、
前記移動局は、前記第２リソース割り当てパラメータセットを使用して前記第１サービスと前記第２サービスを伝送することを含む。
【００１４】
第１形態を結合し、第２実現可能な方式において、前記第２リソース割り当てパラメータセットは、前記ネットワークデバイスが新規追加された第２サービス要求に従って確定されたものであり、前記第１制御シグナリングは、前記移動局がＳＰＳの方式で、第２リソース割り当てパラメータセットと前記第１リソース割り当てパラメータセットを使用して要求変更されたサービスを伝送することを指示するために用いられ、
前記移動局が、前記第１制御シグナリングに従って、要求変更されたサービスを伝送することは、
前記移動局は前記第１リソース割り当てパラメータセットを使用して前記第１サービスを伝送し、
前記移動局は前記第２リソース割り当てパラメータセットを使用して前記第２サービスを伝送すること、を含む。
【００１５】
ここで、前記第１制御シグナリングには、第１情報ドメインと第２情報ドメインが含まれてもよく、前記第１情報ドメインは、前記第１リソース割り当てパラメータセットの情報をベアラするために用いられ、前記第２情報ドメインは、前記第２リソース割り当てパラメータセットの情報をベアラするために用いられる。
【００１６】
第１形態を結合し、第３実現可能な方式において、前記第２リソース割り当てパラメータセットは、前記ネットワークデバイスが現在伝送している第１サービス要求の変更に従って確定されたものであり、前記第１制御シグナリングは、前記移動局がＳＰＳの方式で、第２リソース割り当てパラメータセットを使用して前記第１リソース割り当てパラメータセットの代わりに、要求変更されたサービスを伝送することを指示するために用いられ、
前記移動局が、前記第１制御シグナリングに従って、要求変更されたサービスを伝送することは、
前記移動局は、前記第２リソース割り当てパラメータセットを使用して前記第１リソース割り当てパラメータセットの代わりに、要求変更された第１サービスを伝送することを含む。
【００１７】
１つの実現可能な方式において、前記移動局が前記ネットワークデバイスにより送信された第１制御シグナリングを受信する前、前記方法は、さらに、
前記移動局は前記ネットワークデバイスにより送信された第２制御シグナリングを受信することを含み、前記第２制御シグナリングは、Ｎ個のリソース割り当てパラメータセットを示すために用いられ、前記Ｎ個のリソース割り当てパラメータセットは、前記第１リソース割り当てパラメータセットと前記第２リソース割り当てパラメータセットを含む。
【００１８】
好ましくは、前記第２制御シグナリングは、無線リソース制御ＲＲＣシグナリングである。
【００１９】
１つの実現可能な方式において、前記ネットワークデバイスと前記移動局には、前記Ｎ個のリソース割り当てパラメータセットとＮ個のインデックス識別子との1対1対応関係が記憶され、前記第２制御シグナリングは、前記Ｎ個のインデックス識別子を含む。
【００２０】
第２形態は、サービス伝送のための方法を提供し、
ネットワークデバイスは、移動局のサービス要求の変更に従って、第２リソース割り当てパラメータセットを確定することと、
前記ネットワークデバイスは、前記移動局に第１制御シグナリングを送信することとを含み、
前記移動局は、現在、半静的スケジューリングＳＰＳの方式で、第１リソース割り当てパラメータセットを使用してサービスを伝送し、前記第１リソース割り当てパラメータセットと前記第２リソース割り当てパラメータセットはいずれも、少なくとも１つのリソース割り当てパラメータを含み、
前記第１制御シグナリングは、前記移動局がＳＰＳの方式で、第２リソース割り当てパラメータセットを使用して前記第１リソース割り当てパラメータセットの代わりに、要求変更されたサービスを伝送し、又は、第２リソース割り当てパラメータセットと前記第１リソース割り当てパラメータセットを使用して要求変更されたサービスを伝送することを指示するために用いられる。
【００２１】
なお、ネットワークデバイスはが、移動局のサービス要求の変更に従って、第２リソース割り当てパラメータセットを確定するする前に、前記方法は、さらに、
前記ネットワークデバイスは前記移動局に第３制御シグナリングを送信することを含み、前記第３制御シグナリングは、前記移動局が半静的スケジューリングＳＰＳの方式で、第１リソース割り当てパラメータセットを使用してサービスを伝送することを指示するために用いられる。
【００２２】
第２形態を結合し、第１実現可能な方式において、前記ネットワークデバイスが、移動局のサービス要求の変更に従って、第２リソース割り当てパラメータセットを確定することは、前記ネットワークデバイスは新規追加された第２サービス要求と現在伝送している第１サービス要求に従って、前記第１サービスと前記第２サービスを伝送するための前記第２リソース割り当てパラメータセットを確定することを含み、
前記第１制御シグナリングは、前記移動局がＳＰＳの方式で、第２リソース割り当てパラメータセットを使用して前記第１リソース割り当てパラメータセットの代わりに、前記第１サービスと前記第２サービスを伝送することを指示するために用いられる。
【００２３】
第２形態を結合し、第２実現可能な方式において、前記ネットワークデバイスが、移動局のサービス要求の変更に従って、第２リソース割り当てパラメータセットを確定することは、前記ネットワークデバイスは、新規追加された第２サービス要求に従って、前記第２サービスを伝送するための前記第２リソース割り当てパラメータセットを確定することと、前記ネットワークデバイスは、前記第１リソース割り当てパラメータセットをそのまま使用して前記第１サービスを伝送することを確定することと、を含む、
前記第１制御シグナリングは、前記移動局がＳＰＳの方式で、前記第１リソース割り当てパラメータセットを使用して前記第１サービスを伝送し、前記第２リソース割り当てパラメータセットを使用して前記第２サービスを伝送することを指示するために用いられる。
【００２４】
ここで、前記第１制御シグナリングには、第１情報ドメインと第２情報ドメインが含まれ、前記第１情報ドメインは、前記第１リソース割り当てパラメータセットの情報をベアラするために用いられ、前記第２情報ドメインは、前記第２リソース割り当てパラメータセットの情報をベアラするために用いられる。
【００２５】
第２形態を結合し、第３実現可能な方式において、前記ネットワークデバイスが、移動局のサービス要求の変更に従って、第２リソース割り当てパラメータセットを確定することは、前記ネットワークデバイスは、現在伝送している第１サービス要求の変更に従って、要求変更された第１サービスを伝送するための前記第２リソース割り当てパラメータセットを確定することを含み、
前記第１制御シグナリングは、前記移動局がＳＰＳの方式で、第２リソース割り当てパラメータセットを使用して前記第１リソース割り当てパラメータセットの代わりに、要求変更された第１サービスを伝送することを指示するために用いられる。
【００２６】
１つの実現可能な方式において、ネットワークデバイスが、移動局のサービス要求の変更に従って、第２リソース割り当てパラメータセットを確定する前に、前記方法は、さらに、
前記ネットワークデバイスは前記移動局に第２制御シグナリングを送信することを含み、前記第２制御シグナリングは、Ｎ個のリソース割り当てパラメータセットを示すために用いられ、前記Ｎ個のリソース割り当てパラメータセットは、前記第１リソース割り当てパラメータセットと前記第２リソース割り当てパラメータセットを含む。
【００２７】
好ましくは、前記第２制御シグナリングは、無線リソース制御ＲＲＣシグナリングである。
【００２８】
１つの実現可能な方式において、前記ネットワークデバイスと前記移動局には、前記Ｎ個のリソース割り当てパラメータセットとＮ個のインデックス識別子との1対1対応関係が記憶され、前記第２制御シグナリングは前記Ｎ個のインデックス識別子を含む。
【００２９】
第３形態は、移動局を提供し、受信モジュールと処理モジュールを含み、第１形態及びそれに対応する実現方式を実行するために用いられる。
【００３０】
第４形態は、移動局を提供し、プロセッサ、送受信機及び記憶装置を含み、第１形態及びそれに対応する実現方式を実行するために用いられ、さらに、第４形態の移動局の各部品は、第３形態の移動局の相応のモジュールに対応する。
【００３１】
第５形態は、ネットワークデバイスを提供し、送信モジュールと処理モジュールを含み、第２形態及びそれに対応する実現方式を実行するために用いられる。
【００３２】
第６形態は、ネットワークデバイスを提供し、プロセッサ、送受信機及び記憶装置を含み、第２形態それに対応する実現方式を実行するために用いられ、さらに、第６形態のネットワークデバイスの各部品は、第５形態のネットワークデバイスの相応のモジュールに対応する。
【００３３】
本発明において、リソース割り当てパラメータセットのうちのリソース割り当てパラメータは、
伝送周期、転送ブロックサイズ、転送ブロック数、転送ブロックの位置、アップリンク電力制御パラメータ、変調符号化方式ＭＣＳ及びハイブリッド自動再送要求ＨＡＲＱプロセス数のうちの少なくとも１つを含む。
【００３４】
本発明において、好ましくは、前記第１制御シグナリングは、インデックス識別子によって前記第２リソース割り当てパラメータセットを示す。
【００３５】
本発明において、前記インデックス識別子は、番号又は無線ネットワーク一時識別子ＲＮＴＩを含むことができる。
【００３６】
本発明において、前記第１制御シグナリングは、物理ダウンリンク制御チャネルＰＤＣＣＨであっても良い。
【００３７】
本発明の実施例に係るサービス伝送のための方法、移動局及びネットワークデバイスによって、移動局がＳＰＳの方式で第１リソース割り当てパラメータを使用して現在のサービスを伝送し、サービスの要求が変更された場合、ネットワークデバイスは、１つの制御シグナリングを介して、移動局が第２リソース割り当てパラメータセットを使用して第１リソース割り当てパラメータセットの代わりに、要求変更されたサービスを伝送し、又は、第２リソース割り当てパラメータセットと第１リソース割り当てパラメータセットを使用して要求変更されたサービスを共通に伝送するように指示することで、少ない制御シグナリングを介して、ＳＰＳの再構成を実現し、シグナリングオーバーヘッドを低減させることができる。
【図面の簡単な説明】
【００３８】
【図１】本発明の実施例におけるサービス伝送のための方法が適用される通信システムの1つの例の概略図である。
【図２】ＳＰＳ動作のフローチャートである。
【図３】サービス要求が変更された場合のＳＰＳ構成の概略図である。
【図４】本発明の１つの実施例におけるサービス伝送のための方法のフローチャートである。
【図５】本発明の１つの実施例におけるサービス伝送のための方法の概略図である。
【図６】本発明の他の実施例におけるサービス伝送のための方法の概略図である。
【図７】本発明の他の実施例におけるサービス伝送のための方法の概略図である。
【図８】本発明の他の実施例におけるサービス伝送のための方法の概略フローチャートである。
【図９】本発明の他の実施例におけるサービス伝送のための方法の概略フローチャートである。
【図１０】本発明の１つの実施例における移動局の概略ブロック図である。
【図１１】本発明他の実施例における移動局の概略ブロック図である。
【図１２】本発明の１つの実施例におけるネットワークデバイスの概略ブロック図である。
【図１３】本発明の他の実施例におけるネットワークデバイスの概略ブロック図である。
【発明を実施するための形態】
【００３９】
本発明の実施例の技術的解決策をより明確に説明するために、以下に実施例又は従来技術の記述のために必要な図面を簡単に説明するが、明らかに、以下に記載する図面は本発明のいくつかの実施例だけであり、当業者であれば、創造的な労力を要することなく、これらの図面に基づいて他の図面を得ることができる。
【００４０】
以下に本発明の実施例における図面を組み合わせながら、本発明の実施例における技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００４１】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全て部材であってもよい。一つ又は複数の部材はプロセス及び／又は実行スレッドに常駐することができ、部材は一つのコンピュータに位置してもよく及び／又は２つ以上のコンピュータの間に分布してもよい。その他、これらの部材は様々なデータ構造が記憶されている様々なコンピュータ可読媒体から実行されてもよい。部材は例えば一つ以上のデータグループ（例えばローカルシステム、分散型システム及び／又はネットワーク間の別の部材とインタラクションを行う二つの部材からのデータ、例えば信号によって他のシステムとインタラクションを行うインターネット）を有する信号に基づいて、ローカル及び／又は遠隔プロセスにより通信することができる。
【００４２】
本発明は移動局と組み合わせて各実施例を説明する。移動局はユーザ装置（ＵＥ：Ｕｓｅｒ  Ｅｑｕｉｐｍｅｎｔ）、端末装置、アクセス端末、ユーザユニット、ユーザサイト、移動サイト、遠隔サイト、遠隔端末、移動装置、ユーザ端末、端末、無線通信装置、ユーザエージェント又はユーザデバイスであってもよい。移動局は、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）のステーション（ＳＴ：ＳＴＡＩＯＮ）、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理デバイス、車載デバイス、ウェアラブルデバイス、将来の５Ｇネットワークにおける移動局などであってもよい。
【００４３】
なお、本発明はネットワークデバイスと組み合わせて各実施例を説明する。ネットワークデバイスは、移動局と通信するための装置であってもよく、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）のアクセスポイント（ＡＰ：ＡＣＣＥＳＳ  ＰＯＩＮＴ）、ＧＳＭ又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又は該ネットワーク装置は中継局、アクセスポイント、車載デバイス、ウェアラブルデバイス及び将来の５Ｇネットワークにおけるアクセスネットワーク装置などであってもよい。
【００４４】
好ましくは、本発明の各実施例におけるネットワークデバイスは基地局であり、本発明の各実施例における移動局は、ユーザー装置である。
【００４５】
なお、本発明の各形態又は特徴は、方法、装置、又は標準プログラミング及び／又は工程技術を使用する製品として実現されることができる。本願に使用する「製品」は、任意のコンピューター読み可能部品、担体又は媒体からアクセスする可能なコンピュータープログラムを含む。例えば、コンピュータ可読媒体は、磁気メモリ（例えば、ハードディスク、フレキシブルディスク又はテープ等）、ディスク（例えば、ＣＤ（Ｃｏｍｐａｃｔ  Ｄｉｓｋ、コンパクトディスク）、ＤＶＤ（Ｄｉｇｉｔａｌ  Ｖｅｒｓａｔｉｌｅ  Ｄｉｓｋ、デジタル多用途ディスク）等）、スマートカードとフラッシュメモリデバイス（例えば、ＥＰＲＯＭ（Ｅｒａｓａｂｌｅ  Ｐｒｏｇｒａｍｍａｂｌｅ  Ｒｅａｄ−Ｏｎｌｙ
Ｍｅｍｏｒｙ、プログラム可能読取り専用記憶装置）、カード、スティック又はキードライバ等）であってもよいが、これらに限定されない。また、ここで記載される各種の記憶媒体は、情報を記憶するための１つの又は複数のデバイス及び／又は他の機械可読媒体であってもよい。「機械可読媒体」という用語は、無線チャネル、及び／又は命令及び／又はデータを記憶、含み及び／又はベアラする可能な各種の他の媒体を含むが、これらに限定されない。
【００４６】
図１は本発明の１つの実施例におけるサービス伝送の通信システムの概略図である。図１に示すように、該通信システム１００は、ネットワークデバイス１０２を含み、ネットワークデバイス１０２は、複数のアンテナ、例えばアンテナ１０４、１０６、１０８、１１０、１１２及び１１４を含んでもよい。また、ネットワークデバイス１０２は、さらに、送信機チェーンおよび受信機チェーンを含み、当業者によって理解されるように、それらは信号の送信および受信と関連付けられた複数のコンポーネント（例えば、プロセッサ、変調器、マルチプレクサ、復調器、デマルチプレクサ、アンテナなど）を備えることができる。
【００４７】
ネットワークデバイス１０２は、複数の端末装置（例えば端末装置１１６と端末装置１２２）と通信することができる。ただし、ネットワークデバイス１０２が端末装置１１６又は１２２と類似する任意の数の端末装置と通信することができることは理解すべきである。端末装置１１６と１２２は、例えば携帯電話、スマートフォン、ラップトップコンピュータ、携帯通信装置、ポケット計算装置、衛星ラジオ装置、グローバルポジショニングシステム、ＰＤＡ及び／又は無線通信システム１００に通信するための任意の他の装置であってもよい。
【００４８】
図１に示すように、端末装置１１６はアンテナ１１２及び１１４と通信し、ここで、アンテナ１１２と１１４は、フォワードリンク１１８を介して端末装置１１６に情報を送信し、逆方向リンク１２０を介して端末装置１１６から情報を受信する。なお、端末装置１２２はアンテナ１０４及び１０６と通信し、ここで、アンテナ１０４と１０６はフォワードリンク１２４を介して端末装置１２２に情報を送信し、逆方向リンク１２６を介して端末装置１２２から情報を受信する。
【００４９】
例えば、周波数分割複信（ＦＤＤ：Ｆｒｅｑｕｅｎｃｙ  Ｄｉｖｉｓｉｏｎ  Ｄｕｐｌｅｘ）システムにおいて、例えば、フォワードリンク１１８は、逆方向リンク１２０と異なる周波数帯域を利用し、フォワードリンク１２４は、逆方向リンク１２６と異なる周波数帯域を利用することができる。
【００５０】
また、例えば、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、フォワードリンク１１８と逆方向リンク１２０は、共通の周波数帯域を使用し、フォワードリンク１２４と逆方向リンク１２６は、共通の周波数帯域を使用することができる。
【００５１】
通信のための各アンテナ（又は複数のアンテナからなるアンテナセット）及び／又は地域は、ネットワークデバイス１０２のセクターと呼ばれる。例えば、アンテナセットは、ネットワークデバイス１０２のカバレッジエリアのセクターにおける端末装置と通信するように構成される。ネットワークデバイス１０２がフォワードリンク１１８及び１２４を介して端末装置１１６及び１２２とそれぞれ通信を行う過程において、ネットワークデバイス１０２の送信アンテナは、ビーム形成を利用して、フォワードリンク１１８及び１２４のノイズの比を改善することができる。なお、ネットワークデバイスが単一アンテナを介してすべての端末装置に信号を送信するという方式と比べ、ネットワークデバイス１０２は、ビーム形成でカバレッジ関連エリアにランダム分布する端末装置１１６と１２２に信号を送信することで、隣接セル内の移動デバイスが少ない干渉を受ける。
【００５２】
所定の時間において、ネットワークデバイス１０２、端末装置１１６又は端末装置１２２は、無線通信送信装置及び／又は無線通信受信装置であってもよい。データを送信する場合、無線通信送信装置は、データを伝送するために、データをコーディングすることができる。具体的には、無線通信送信装置は、チャネルによって無線通信受信装置に送信しようとする所定数のデータビットを取得（例えば、生成し、他の通信装置から受信し、又は記憶装置に記憶されている等）することができる。このようなデータビットは、データの伝送ブロック（又は複数の伝送ブロック）に含まれることができ、伝送ブロックはセグメント化されて複数のコードブロックが生成される。
【００５３】
なお、該通信システム１００は、公衆移動通信ネットワーク（ＰＬＭＮ：Ｐｕｂｌｉｃ
Ｌａｎｄ  Ｍｏｂｉｌｅ  Ｎｅｔｗｏｒｋ）、Ｄ２Ｄネットワーク、Ｍ２Ｍネットワーク、Ｖ２Ｖネットワーク、Ｖ２Ｘネットワーク、又は他のネットワークであってもよく、図１は例示的な簡略図であり、ネットワークには、さらに、他のネットワークデバイスが含まれることができ、図１に図示しない。
【００５４】
本発明の実施例に係る技術案は、従来のセルラー通信システム、例えば、汎ヨーロッパデジタル移動通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）等のシステムに応用することができ、サポートする通信は、主に音声とデータ通信に対応する。通常に、１つの伝統の基地局の可能な接続数が限定され、実現しやすい。
【００５５】
次世代の移動通信システムは、伝統の通信をサポートするとともに、マシンツーマシン（Ｍ２Ｍ：Ｍａｃｈｉｎｅ  ｔｏ  Ｍａｃｈｉｎｅ）通信、又はＭＴＣ通信をサポートする。予測によって、２０２０年まで、ネットワークに接続されているＭＴＣデバイスは５００〜１０００億に達し、従来の接続数をはるかに上回っている。Ｍ２Ｍタイプのサービスについて、そのサービスタイプがさまざまであるため、ネットワークに要求が大きく異なる。
【００５６】
ＬＴＥシステムにおいて、ＳＰＳメカニズムは、重点的に、周期的なサービス伝送、例えば最も代表の例であるＶｏＬＴＥサービスに対し、半静的スケジューリング（ＳＰＳ）というスケジューリング方式を設け、その重要なメカニズムとして、ネットワーク側のデバイス、例えば基地局は、まず、無線リソース制御（ＲＲＣ：Ｒａｄｉｏ  Ｒｅｓｏｕｒｃｅ  Ｃｏｎｔｒｏｌ）シグナリングを介して、移動局に対してＳＰＳリソースに対応する構成を行い、例えば、ＳＰＳのための複数のセットのリソース割り当てパラメータをに構成する。リソース割り当てパラメータは、伝送周期、転送ブロックサイズ、転送ブロックの位置や個数、送信電力制御パラメータ、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）プロセス数等を含むことができる。次に、必要である場合、ＰＤＣＣＨによって移動局に、使用する１セットのリソース割り当てパラメータを実際に割り当て、リソース割り当てパラメータが一度アクティブ化されると、周期的に有効である。ＬＴＥシステムにおいて、ＶｏＬＴＥサービスのデータパケットサイズがともに数十のバイトであり、しかも周期が一定であるため、ＳＰＳメカニズムを利用して制御シグナリングをある程度に節約することができる。
【００５７】
具体的には、図２に示すＳＰＳの動作フローチャートである。図２に、移動局に割り当てたリソース割り当てパラメータにおいて、伝送周期が２０ｍｓであり、図に３つの伝送ブロック（ここで、転送ブロック数が例示的なものである）を示す。移動局に割り当てたリソースがアクティブ化された後、ＰＤＣＣＨの送信しないため、伝送周期、転送ブロックサイズ等が変更されることができなく、解放してから再度アクティブ化されるという方式のみによってリソースを再度に構成する。
【００５８】
未来のＬＴＥ発展及び５Ｇシステムにおいて、周期的なサービスが多くになり、ＳＰＳメカニズムの使用シーンも益々多くなり、具体的には、以下の幾つかのシーンを挙げるが、これらに限定されない。
【００５９】
シーン１として、ＭＢＢサービスにおいて、複数の種類の周期的なサービスを混合して伝送し、例えば、ＶｏＬＴＥサービス、リアルタイム通信の心拍データ等を混合して伝送することができる。これらのシーンにおいて、ネットワークは、１種又は多種のＳＰＳ構成又はリソース割り当て方式をトリガーし、即ち、１セットのリソース割り当てパラメータを割り当て、必要である場合、リソース割り当てパラメータを更新する。
【００６０】
シーン２として、低電力消費のＭａｓｓｉｖｅ  ＭＴＣサービスにおいて、ネットワークはデータ送信を周期に行う必要があり、移動局も同様にデータ送信を周期に行う必要があり、しかもデータパケットサイズが変更される可能性がある。
【００６１】
シーン３として、低遅延や高依頼性の物のインターネットサービスにおいて、特にＶ２Ｘサービスシーンにおいて、車両でもネットワークでも、ネットワーク中の車両状態を周期にブロードキャストする必要があり、しかもデータパケットサイズが可変である。
【００６２】
上記の３つの種類のシーンは、図３に示すサービス要求変更に対応する可能性がある。例えば、１つのサービスのＳＰＳ構成に対する要求は、伝送ブロック１〜３の示すように、しかも伝送周期がＴ１であり、サービス要求が変更された後、要求は伝送ブロック４〜６の示すように、しかも伝送周期がＴ２である。なお、ここで、伝送ブロックのサイズや個数が例示的なものであり、本発明の実施例はこれらに限定されない。
【００６３】
まず、本発明の実施例における半静的スケジューリングに使用するリソース割り当てパラメータセット及びリソース割り当てパラメータを詳しく説明する。
【００６４】
本発明の実施例において、リソース割り当てパラメータは、周期的なリソーススケジューリング（又は、周期的なリソース割り当て）に用いられ、又は、該リソース割り当てパラメータは、周期的なリソーススケジューリングに関連するパラメータであってもよい。例示的なものとして、各リソース割り当てパラメータセットのうちのリソース割り当てパラメータは、伝送周期、転送ブロックサイズ、転送ブロック数、転送ブロックの位置、アップリンク電力制御パラメータ、変調符号化方式（ＭＣＳ：Ｍｏｄｕｌａｔｉｏｎ  ａｎｄ  Ｃｏｄｉｎｇ  Ｓｃｈｅｍｅ、）及びハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）プロセス数のうちの少なくとも１つを含むが、これらに限定されない。
【００６５】
具体的には、伝送周期は、移動局（又はネットワークデバイス）が同一サービスに対して、データ又は情報などを２回に連続して伝送（送信又は受信）する時間間隔であっても良い。例示的なものとして、該伝送周期は２０ｍｓ、１０ｍｓ又は５ｍｓであってもよいが、これらに限定されない。
【００６６】
なお、本発明の実施例において、移動局（又はネットワークデバイス）のデータ又は情報の伝送（送信又は受信）する対象は、ネットワークデバイスであってもよいし、他の移動局等であっても良く、本発明がこれらに限定されない。移動局はネットワークデバイスにデータ又は情報を送信する場合、該伝送周期は、アップリンク伝送周期であってもよい。移動局はネットワークデバイスにより送信されたデータ又は情報を受信する場合、該伝送周期は、ダウンリンク伝送周期であってもよい。
【００６７】
本発明の実施例において、転送ブロックサイズは、移動局（又はネットワークデバイス）の1回のデータの伝送が占用する時間周波数リソースブロックのサイズである。例えば、時間ドメイン上のＭつの符号の長さであり、周波数ドメイン上のＮ個のリソースブロック（ＲＢ：Ｒｅｓｏｕｒｃｅ  Ｂｌｏｃｋ）によって伝送ブロックを構成する。
【００６８】
なお、本発明の実施例における転送ブロックサイズは、サービスにおいて毎回に伝送しようとするデータパケットのサイズに対応することができる。好ましくは、伝送ブロックは、1回に伝送するデータパケットをベアラすることができる。
【００６９】
本発明の実施例において、転送ブロック数は、同じＳＰＳ構成を使用してサービス伝送を行う場合、連続して伝送する可能な回数である。転送ブロック数は、伝送サービスに使用する連続の伝送時間間隔（ＴＴＩ：Ｔｒａｎｓｍｉｓｓｉｏｎ  Ｔｉｍｅ  Ｉｎｔｅｒｖａｌ）数によって示すことができ、本発明の実施例はこれらに限定されない。
【００７０】
本発明の実施例において、転送ブロックの位置は、伝送ブロックの時間ドメインと周波数ドメインの位置である、例えば、伝送ブロックはどちらの符号から開始するか、どちらのＲＢから開始するか等である。
【００７１】
本発明の実施例において、リソース割り当てパラメータセットには、さらに、サービス伝送時の変調信号が使用する変調符号化方式ＭＣＳが含まれることができる。
【００７２】
アップリンク電力制御パラメータは、移動局の一回又は複数回のデータ又は情報等の送信に使用する送信電力に関するパラメータであり、例示的なものとして、本発明の実施例において、該アップリンク電力制御パラメータは、移動局が使用可能な送信電力の最大値であってもよいが、これらに限定されない。
【００７３】
現在、ストップ・アンド・ウェイト方式のＨＡＲＱプロトコルを通常に使用するため、対応するＨＡＲＱのプロセス数を構成する必要がある。あるＨＡＲＱプロセスのフィードバック情報を待つ過程において、他のアイドルプロセスを使用してデータパケットを伝送することができる。ＨＡＲＱの最小ＲＴＴ（Ｒｏｕｎｄ  Ｔｒｉｐ  Ｔｉｍｅ）は、１回のデータパケットの伝送過程かかる時間と定義され、１つのデータパケットが送信側で送信され、受信側が受信して処理し、結果フィードバックＡＣＫ/ＮＡＣＫシグナリングに応じて、送信側がＡＣＫ/ＮＡＣＫ信号を復調処理してから、次のフレームで再送信又は新しいデータパケットの送信を決定するという過程である。ＨＡＲＱのプロセス数は、ＨＡＲＱの最小ＲＴＴ時間と緊密に関係している。周波数分割複信（ＦＤＤ：Ｆｒｅｑｕｅｎｃｙ  Ｄｉｖｉｓｉｏｎ  Ｄｕｐｌｅｘｉｎｇ）について、そのＨＡＲＱのプロセス数は、ＨＡＲＱの最小ＲＴＴ時間には含まれるサブフレーム数に等しく、時分割複信（ＴＤＤ：Ｔｉｍｅ  Ｄｉｖｉｓｉｏｎ  Ｄｕｐｌｅｘｉｎｇ）について、そのＨＡＲＱのプロセス数は、ＨＡＲＱの最小ＲＴＴ時間には含まれる同一送信方向のサブフレーム数に等しい。
【００７４】
なお、上記に挙げるリソース割り当てパラメータに含まれる、具体的なパラメータは、例示的なものであるが、本発明がこれらに限定されなく、周期的なリソーススケジューリング又は周期的なリソース割り当てに関する他のパラメータも本発明の保護範囲に含まれる。
【００７５】
なお、本発明の実施例において、１つのリソース割り当てパラメータセットに含まれるリソース割り当てパラメータのタイプは、特に限定されく、例えば、１つのリソース割り当てパラメータセットには、上記挙げるすべてのリソース割り当てパラメータが含まれることができ、又は、１つのリソース割り当てパラメータセットには、上記の一部のリソース割り当てパラメータが含まれることができ、さらに、後述「Ｎ個のリソース割り当てパラメータセット」のうちの各リソース割り当てパラメータセットには含まれるリソース割り当てパラメータの種類と数が同じでもよいし、相違でもよく、本発明がこれらに限定されない。
【００７６】
図４は本発明の１つの実施例におけるサービス伝送のための方法４００のフローチャートを示す。方法４００は、ネットワークデバイスと移動局との間に実行され、以下のステップを含む。
【００７７】
Ｓ４０１において、ネットワークデバイスは移動局に第２制御シグナリングを送信し、第２制御シグナリングは、Ｎ個のリソース割り当てパラメータセットを示すために用いられ、該Ｎ個のリソース割り当てパラメータセットは、第１リソース割り当てパラメータセットと第２リソース割り当てパラメータセットを含む。それに対応し、移動局はネットワークデバイスにより送信された第２制御シグナリングを受信する。
【００７８】
ここで、第１リソース割り当てパラメータセットと第２リソース割り当てパラメータセットはいずれも、ネットワークデバイスによって移動局に割り当てた、ＳＰＳを行うためのリソース割り当てパラメータセットであり、第１リソース割り当てパラメータセットと第２リソース割り当てパラメータセットはいずれも、少なくとも１つのリソース割り当てパラメータを含む。
【００７９】
第２制御シグナリングは、高位レイヤ制御シグナリングであってもよい。好ましくは、第２制御シグナリングは、無線リソース制御（ＲＲＣ：Ｒａｄｉｏ  Ｒｅｓｏｕｒｃｅ  Ｃｏｎｔｒｏｌ）シグナリングである。
【００８０】
１つの好ましい実施例において、ネットワークデバイスと移動局には、協議された複数セットのＳＰＳ構成（複数のリソース割り当てパラメータセット）と複数のインデックス識別子との1対1対応関係が含まれ、ここで、複数のリソース割り当てパラメータセットと複数のインデックス識別子との1対1対応関係には、Ｎ個のリソース割り当てパラメータセットとＮ個のインデックス識別子との1対1対応関係が含まれる。即ち、ネットワークデバイスと移動局には、Ｎ個のリソース割り当てパラメータセットとＮ個のインデックス識別子との1対1対応関係が含まれる。第２制御シグナリングはＮ個のインデックス識別子を含む場合、Ｎ個のリソース割り当てパラメータセットを示すことができる。また、第３制御シグナリングと第１制御シグナリングは、第１リソース割り当てパラメータセットと第２リソース割り当てパラメータセットをそれぞれ示す場合、インデックス識別子によって示すことができる。
【００８１】
なお、本発明の実施例において、第２制御シグナリングが示すリソース割り当てパラメータセットには、上記に挙げるリソース割り当てパラメータのうちの一部のパラメータが含まれてもよい。他のパラメータの具体的な内容は、Ｓ４０５における第１制御シグナリングによって送信する。
【００８２】
なお、Ｓ４０１が必要なのもではなく、ネットワークデバイスと移動局には、複数のリソース割り当てパラメータセットと複数のインデックス識別子との1対1対応関係が含まれなく、その後、ネットワークデバイスは、移動局にリソース割り当てパラメータセットの具体的な内容を直接に送信し、又は、移動局に各リソース割り当てパラメータの具体的な内容（インデックを利用せず）を直接に送信してもよく、本発明の実施例はこれに限定されない。
【００８３】
Ｓ４０２において、ネットワークデバイスは移動局に第３制御シグナリングを送信し、該第３制御シグナリングは、該移動局が半静的スケジューリングＳＰＳの方式で、第１リソース割り当てパラメータセットを使用してサービスを伝送することを指示するために用いられる。それに対応し、移動局は、ネットワークデバイスにより送信された第３制御シグナリングを受信する。
【００８４】
具体的には、第３制御シグナリングは、移動局がＳＰＳの方式で、第１リソース割り当てパラメータセットを使用して現在のサービスを伝送し、即ち、第１サービスを伝送することを指示するために用いられる。
【００８５】
なお、Ｓ４０２も必要なものではなく、即ち、本発明の実施例において、移動局がどのようにＳＰＳ方式でデータを伝送することが限定されない。
【００８６】
Ｓ４０３において、移動局は、半静的スケジューリングＳＰＳの方式で、第１リソース割り当てパラメータセットを使用して現在のサービスを伝送する。即ち、移動局は第１リソース割り当てパラメータセットを使用して現在の第１サービスを伝送する。
【００８７】
Ｓ４０４において、移動局の現在伝送しているサービスの要求が変更された場合、ネットワークデバイスは、移動局のサービス要求の変更に従って、第２リソース割り当てパラメータセットを確定する。
【００８８】
具体的には、ネットワークデバイスは、移動局のサービス要求の変更に従って、第２リソース割り当てパラメータセットを確定することは、以下の場合を含む。
【００８９】
第１の場合に、現在伝送しているサービスの要求変更に対し、具体的には、ネットワークデバイスは、現在伝送している第１サービス要求の変更に従って、要求変更された第１サービスを伝送するための第２リソース割り当てパラメータセットを確定する。それに対応し、Ｓ４０５のネットワークデバイスにより移動局に送信された第１制御シグナリングは、移動局がＳＰＳの方式で、第２リソース割り当てパラメータセットを使用して第１リソース割り当てパラメータセットの代わりに、要求変更された第１サービスを伝送することを指示するために用いられる。
【００９０】
具体的な例は、図５に示すように、要求変更される前に、第１サービスは、伝送ブロック１、２及び３によって伝送される。要求変更として、データパケットサイズが大きく、しかも伝送周期が短くなってもよい。要求変更された後、第１サービスは、伝送ブロック４、５及び６によって伝送される。
【００９１】
第２の場合に、新規追加されたサービスに対し、具体的には、ネットワークデバイスは、新規追加された第２サービス要求と現在伝送している第１サービス要求に従って、伝送第１サービスと第２サービスを伝送するための第２リソース割り当てパラメータセットを確定する。それに対応し、第１制御シグナリングは、移動局がＳＰＳの方式で、第２リソース割り当てパラメータセットを使用して第１リソース割り当てパラメータセットの代わりに、第１サービスと第２サービスを伝送することを指示するために用いられる。
【００９２】
具体的な例は、図６に示すように、要求変更される前に、第１サービスは、伝送ブロック１、２及び３によって伝送される。要求変更として、第２サービスを新規追加してもよい。要求変更された後、ネットワークデバイスは、要求に応じて、伝送ブロック４、５及び６によって第１サービスと第２サービスを伝送することを決定する。
【００９３】
第３の場合に、新規追加されたサービスに対し、具体的には、ネットワークデバイスは、新規追加された第２サービス要求に従って、第２サービスを伝送するための第２リソース割り当てパラメータセットを確定し、ネットワークデバイスは、第１リソース割り当てパラメータセットをそのまま使用して第１サービスを伝送することを確定する。それに対応し、第１制御シグナリングは、移動局がＳＰＳの方式で、第１リソース割り当てパラメータセットを使用して第１サービスを伝送し、第２リソース割り当てパラメータセットを使用して第２サービスを伝送することを指示するために用いられる。
【００９４】
具体的な例は、図７に示すように、要求変更される前に、第１サービスは、伝送ブロック１、２及び３によって伝送される。要求変更として、第２サービスが新規追加される。要求変更された後、ネットワークデバイスは、要求に応じて、伝送ブロック４、５及び６によって第１サービスを伝送し、伝送ブロック７、８及び９によって第２サービスを伝送することを確定する。ここで、伝送ブロック４、５及び６と伝送ブロック１、２及び３に対応するリソース割り当てパラメータセットはいずれも、第１リソース割り当てパラメータセットであり、即ち、第１リソース割り当てパラメータセットをそのまま使用して第１サービスを伝送し、伝送ブロック７、８及び９に対応するリソース割り当てパラメータセットは、伝送ブロック１〜６と相違するリソース割り当てパラメータセットであり、即ち、第２リソース割り当てパラメータセットを使用して第２サービスを伝送する。
【００９５】
Ｓ４０５において、ネットワークデバイスは移動局に第１制御シグナリングを送信し、第１制御シグナリングは、移動局がＳＰＳの方式で、第２リソース割り当てパラメータセットを使用して第１リソース割り当てパラメータセットの代わりに、要求変更されたサービスを伝送し、又は、第２リソース割り当てパラメータセットと第１リソース割り当てパラメータセットを使用して要求変更されたサービスを伝送する。それに対応し、移動局は、ネットワークデバイスにより送信された第１制御シグナリングを受信する。
【００９６】
なお、移動局が第２制御シグナリングを受信し、第２制御シグナリングに示すリソース割り当てパラメータセットとインデックス識別子との1対1対応関係を取得した場合、第２制御シグナリングに示すリソース割り当てパラメータセットには、上記に挙げるリソース割り当てパラメータのうちの一部のパラメータ（例えば、転送ブロックサイズと転送ブロックの位置等のパラメータ）のみが含まれてもよい。第１制御シグナリングは、それに対応するインデックス識別子によって該一部のパラメータを示し、他のパラメータの具体的な内容は、第１制御シグナリングによって直接に送信される。
【００９７】
具体的には、例えば、第１制御シグナリングの一部には、第２リソース割り当てパラメータセット（ここで、転送ブロックサイズ、転送ブロックの位置等のパラメータが含まれ）を示すインデックス識別子が含まれ、他の部分には、上記に挙げるリソース割り当てパラメータの他のパラメータの具体的な内容が含まれても良い。
【００９８】
本発明において、リソース割り当てパラメータセットのパラメータの設定、インデックス識別子の設定及び各制御シグナリングの設定は、機動にしてもよく、本発明の実施例に挙げるものに限定されない。
【００９９】
Ｓ４０６において、移動局は、第１制御シグナリングに従って、要求変更されたサービスを伝送する。
【０１００】
第１の場合に対し、第２リソース割り当てパラメータセットは、ネットワークデバイスが現在伝送している第１サービス要求の変更に従って確定されたものであり、第１制御シグナリングは、移動局がＳＰＳの方式で、第２リソース割り当てパラメータセットを使用して該第１リソース割り当てパラメータセットの代わりに、要求変更されたサービスを伝送することを指示するために用いられる。
【０１０１】
移動局は該第１制御シグナリングに従って、要求変更されたサービスを伝送することは、第２リソース割り当てパラメータセットを使用して要求変更された第１サービスを伝送することを含む。
【０１０２】
該過程において、移動局は、第１リソース割り当てパラメータセットを開放してもよい。なお、この実施例におけるネットワークデバイスは、移動局に１つのＰＤＣＣＨの送信して第１リソース割り当てパラメータセットを開放するように指示し、もう１つのＰＤＣＣＨの送信して第２リソース割り当てパラメータセットを開放するように指示する必要がなく、第２リソース割り当てパラメータセットで第１リソース割り当てパラメータセットを直接に取り換えて、シグナリングオーバーヘッドを節約することができる。
【０１０３】
第２の場合に対し、第２リソース割り当てパラメータセットは、ネットワークデバイスが新規追加された第２サービス要求と現在伝送している第１サービス要求に従って確定されたものであり、第１制御シグナリングは、移動局がＳＰＳの方式で、第２リソース割り当てパラメータセットを使用して第１リソース割り当てパラメータセットの代わりに、要求変更されたサービスを伝送することを指示するために用いられる。
【０１０４】
該過程において、移動局は、第１リソース割り当てパラメータセットを開放してもよい。なお、この実施例におけるネットワークデバイスは、移動局に１つのＰＤＣＣＨを送信して第１リソース割り当てパラメータセットを開放するように指示し、さらに、もう１つのＰＤＣＣＨを送信して第２リソース割り当てパラメータセットを開放するように指示する必要がなく、第２リソース割り当てパラメータセットで第１リソース割り当てパラメータセットを直接に取り換えて第１サービスと第２サービスを伝送するため、シグナリングオーバーヘッドを節約することができる。
【０１０５】
第３の場合に対し、第２リソース割り当てパラメータセットは、ネットワークデバイスが新規追加された第２サービス要求に従って確定されたものであり、第１制御シグナリングは、移動局がＳＰＳの方式で、第２リソース割り当てパラメータセットと第１リソース割り当てパラメータセットを使用して要求変更されたサービスを共通に伝送することを指示するために用いられる。
【０１０６】
移動局は、該第１制御シグナリングに従って、要求変更されたサービスを伝送することは、移動局は第１リソース割り当てパラメータセットを使用して第１サービスを伝送し、移動局は第２リソース割り当てパラメータセットを使用して第２サービスを伝送することを含む。
【０１０７】
第３の場合において、第１制御シグナリングには、第１情報ドメインと第２情報ドメインが含まれてもよく、第１情報ドメインは、第１リソース割り当てパラメータセットの情報をベアラするために用いられ、第２情報ドメインは、第２リソース割り当てパラメータセットの情報をベアラするために用いられる。具体的には、例えば、ＲＮＴＩ１に第１サービスのＳＰＳ構成（第１リソース割り当てパラメータセット）が含まれ、ＳＰＳ-ＲＮＴＩ２に第２サービスのＳＰＳ構成（第２リソース割り当てパラメータセット）が含まれる。また、例えば、Ｉｎｄｅｘ１によって第１サービスのＳＰＳ構成（第１リソース割り当てパラメータセット）を示し、Ｉｎｄｅｘ２によって第２サービスのＳＰＳ構成（第２リソース割り当てパラメータセット）を示し、本発明は、具体的な示すやベアラ方式を限定しない。移動局は、第１制御シグナリングを受信した後、第１情報ドメインと第２情報ドメインにそれぞれ示す第１リソース割り当てパラメータセットと第２リソース割り当てパラメータセットに対応するリソースにおいて、データの伝送（送信又は受信）を行う。
【０１０８】
本発明の実施例において、第３制御シグナリングは、インデックス識別子（例えば第１インデックス識別子）によって第１リソース割り当てパラメータセットを示すことができる。第１制御シグナリングは、インデックス識別子（例えば第２インデックス識別子）によって第２リソース割り当てパラメータセットを示すことができる。
【０１０９】
なお、本発明の伝送は、アップリンク伝送及びダウンリンク伝送を含み、即ち、移動局の送信と移動局の受信を含む。
【０１１０】
なお、本発明の実施例における方法は、ＳＰＳを再構成する方法とも呼ばれる。
【０１１１】
なお、本発明の実施例におけるインデックス識別子として、例えばＮ個のインデックス識別子のうちの任意の１つのインデックス識別子、第１インデックス識別子、及び第２インデックス識別子は、番号又は無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）であってもよい。即ち、番号又はＲＮＴＩは、リソース割り当てパラメータセット（例えばＮ個のリソース割り当てパラメータセットのうちの任意の１つのリソース割り当てパラメータセット、第１リソース割り当てパラメータセット及び第２リソース割り当てパラメータセット）の示すインデックス識別子をベアラするために用いられる。
【０１１２】
なお、本発明の実施例において、好ましくは、第３制御シグナリング及び／又は第１制御シグナリングは、物理ダウンリンク制御チャネルＰＤＣＣＨである。なお、第３制御シグナリング及び／又は第１制御シグナリングは、他の物理制御チャネル、例えば強化された物理ダウンリンク制御チャネル（Ｅ−ＰＤＣＣＨ：Ｅｎｈａｎｃｅｄ  ＰＤＣＣＨ）等であってもよく、本発明の実施例はこれに限定されない。
【０１１３】
本発明の実施例におけるサービス伝送のための方法によって、移動局がＳＰＳの方式で第１リソース割り当てパラメータを使用して現在のサービスを伝送し、サービスの要求が変更された場合、ネットワークデバイスは、１つの制御シグナリングを介して、移動局が第２リソース割り当てパラメータセットを使用して第１リソース割り当てパラメータセットの代わりに、要求変更されたサービスを伝送し、又は、第２リソース割り当てパラメータセットと第１リソース割り当てパラメータセットを使用して要求変更されたサービスを共通に伝送するように指示し、少ない制御シグナリングでＳＰＳの再構成を実現し、シグナリングオーバーヘッドを低減させることができる。
【０１１４】
以下、図８を参照し、移動局側から本発明の実施例におけるサービス伝送のための方法８００を詳しく説明する。方法８００は、Ｓ８１０〜Ｓ８３０を含む。
【０１１５】
Ｓ８１０において、移動局は、半静的スケジューリングＳＰＳの方式で、第１リソース割り当てパラメータセットを使用して現在のサービスを伝送する。
【０１１６】
Ｓ８２０において、該移動局は、ネットワークデバイスにより送信された第１制御シグナリングを受信し、該第１制御シグナリングは、該移動局がＳＰＳの方式で、第２リソース割り当てパラメータセットを使用して該第１リソース割り当てパラメータセットの代わりに、要求変更されたサービスを伝送し、又は、第２リソース割り当てパラメータセットと該第１リソース割り当てパラメータセットを使用して、要求変更されたサービスを伝送することを指示するために用いられる。
【０１１７】
Ｓ８３０において、該移動局は、該第１制御シグナリングに従って、要求変更されたサービスを伝送し、ここで、該第１リソース割り当てパラメータセットと該第２リソース割り当てパラメータセットはいずれも、少なくとも１つのリソース割り当てパラメータを含む。
【０１１８】
あるいは、Ｓ８１０の移動局は、半静的スケジューリングＳＰＳの方式で、第１リソース割り当てパラメータセットを使用して現在のサービスを伝送するする前に、該方法８００は、さらに、
該移動局は、ネットワークデバイスにより送信された第３制御シグナリングを受信することを含み、該第３制御シグナリングは、該移動局が半静的スケジューリングＳＰＳの方式で、第１リソース割り当てパラメータセットを使用してサービスを伝送することを指示するために用いられる。
【０１１９】
あるいは、１つの実施例として、該第２リソース割り当てパラメータセットは、該ネットワークデバイスが現在伝送している第１サービス要求の変更に従って確定されたものであり、該第１制御シグナリングは、該移動局がＳＰＳの方式で、第２リソース割り当てパラメータセットを使用して該第１リソース割り当てパラメータセットの代わりに、要求変更されたサービスを伝送することを指示するために用いられる。
【０１２０】
Ｓ８３０の該移動局が該第１制御シグナリングに従って、要求変更されたサービスを伝送することは、
該移動局が該第２リソース割り当てパラメータセットを使用して該第１リソース割り当てパラメータセットの代わりに、要求変更された第１サービスを伝送することを含む。
【０１２１】
あるいは、他の１つの実施例として、該第２リソース割り当てパラメータセットは、該ネットワークデバイスが新規追加された第２サービス要求と現在伝送している第１サービス要求に従って確定されたものであり、該第１制御シグナリングは、該移動局がＳＰＳの方式で、第２リソース割り当てパラメータセットを使用して該第１リソース割り当てパラメータセットの代わりに、要求変更されたサービスを伝送することを指示するために用いられる。
【０１２２】
Ｓ８３０の移動局は該第１制御シグナリングに従って、要求変更されたサービスを伝送することは、
該移動局は該第２リソース割り当てパラメータセットを使用して該第１サービスと該第２サービスを伝送することを含む。
【０１２３】
あるいは、他の１つの実施例として、該第２リソース割り当てパラメータセットは、該ネットワークデバイスが新規追加された第２サービス要求に従って確定されたものであり、該第１制御シグナリングは、該移動局がＳＰＳの方式で、第２リソース割り当てパラメータセットと該第１リソース割り当てパラメータセットを使用して要求変更されたサービスを伝送することを指示するために用いられる。
【０１２４】
Ｓ８３０の移動局は該第１制御シグナリングに従って、要求変更されたサービスを伝送することは、
該移動局は該第１リソース割り当てパラメータセットを使用して該第１サービスを伝送し、
該移動局は該第２リソース割り当てパラメータセットを使用して該第２サービスを伝送することを含む。
【０１２５】
本発明の実施例における移動局は、ＳＰＳの方式で、第１リソース割り当てパラメータを使用して現在のサービスを伝送し、サービスの要求が変更された場合、ネットワークデバイスは、１つの制御シグナリングを介して、移動局が第２リソース割り当てパラメータセットを使用して第１リソース割り当てパラメータセットの代わりに、要求変更されたサービスを伝送し、又は、第２リソース割り当てパラメータセットと第１リソース割り当てパラメータセットを使用して要求変更されたサービスを共通に伝送するように指示することで、少ない制御シグナリングでＳＰＳの再構成を実現し、シグナリングオーバーヘッドを低減させることができる。
【０１２６】
以下、図９を参照し、ネットワークデバイス側から本発明の実施例におけるサービス伝送のための方法９００を詳しく説明する。方法９００は、Ｓ９１０〜Ｓ９２０を含む。
【０１２７】
Ｓ９１０において、ネットワークデバイスは、移動局のサービス要求の変更に従って、第２リソース割り当てパラメータセットを確定し、該移動局が現在、半静的スケジューリングＳＰＳの方式で、第１リソース割り当てパラメータセットを使用してサービスを伝送し、ここで、該第１リソース割り当てパラメータセットと該第２リソース割り当てパラメータセットはいずれも、少なくとも１つのリソース割り当てパラメータを含む。
【０１２８】
Ｓ９２０において、該ネットワークデバイスは該移動局に第１制御シグナリングを送信し、該第１制御シグナリングは、該移動局がＳＰＳの方式で、第２リソース割り当てパラメータセットを使用して該第１リソース割り当てパラメータセットの代わりに、要求変更されたサービスを伝送し、又は、第２リソース割り当てパラメータセットと該第１リソース割り当てパラメータセットを使用して要求変更されたサービスを伝送することを指示するために用いられる。
【０１２９】
あるいは、Ｓ９１０のネットワークデバイスは、移動局のサービス要求の変更に従って、第２リソース割り当てパラメータセットを確定するする前に、該方法９００は、さらに、
該ネットワークデバイスは該移動局に第３制御シグナリングを送信することを含み、該第３制御シグナリングは、該移動局が半静的スケジューリングＳＰＳの方式で、第１リソース割り当てパラメータセットを含み使用してサービスを伝送することを指示するために用いられる。
【０１３０】
あるいは、１つの実施例として、Ｓ９２０ネットワークデバイスは該移動局のサービス要求の変更に従って、第２リソース割り当てパラメータセットを確定することは、該ネットワークデバイスは、現在伝送している第１サービス要求の変更に従って、要求変更された第１サービスを伝送するための該第２リソース割り当てパラメータセットを確定することを含み、
該第１制御シグナリングは、該移動局がＳＰＳの方式で、第２リソース割り当てパラメータセットを使用して該第１リソース割り当てパラメータセットの代わりに、要求変更された第１サービスを伝送することを指示するために用いられる。
【０１３１】
あるいは、他の１つの実施例として、Ｓ９２０のネットワークデバイスは該移動局のサービス要求の変更に従って、第２リソース割り当てパラメータセットを確定することは、該ネットワークデバイスは、新規追加された第２サービス要求と現在伝送している第１サービス要求に従って、該第１サービスと該第２サービスを伝送するための該第２リソース割り当てパラメータセットを確定することを含む。
【０１３２】
該第１制御シグナリングは、該移動局がＳＰＳの方式で、第２リソース割り当てパラメータセットを使用して該第１リソース割り当てパラメータセットの代わりに、該第１サービスと該第２サービスを伝送することを指示するために用いられる。
【０１３３】
あるいは、他の１つの実施例として、Ｓ９２０のネットワークデバイスは該移動局のサービス要求の変更に従って、第２リソース割り当てパラメータセットを確定することは、該ネットワークデバイスは、新規追加された第２サービス要求に従って、該第２サービスを伝送するための該第２リソース割り当てパラメータセットを確定し、該ネットワークデバイスは、該第１リソース割り当てパラメータセットをそのまま使用して該第１サービスを伝送することを確定することを含む。
【０１３４】
該第１制御シグナリングは、該移動局がＳＰＳの方式で、該第１リソース割り当てパラメータセットを使用して該第１サービスを伝送し、該第２リソース割り当てパラメータセットを使用して該第２サービスを伝送することを指示するために用いられる。
【０１３５】
本発明の実施例における移動局は、ＳＰＳの方式で、第１リソース割り当てパラメータを使用して現在のサービスを伝送し、サービスの要求が変更された場合、ネットワークデバイスは、１つの制御シグナリングを介して、移動局が第２リソース割り当てパラメータセットを使用して第１リソース割り当てパラメータセットの代わりに、要求変更されたサービスを伝送し、又は、第２リソース割り当てパラメータセットと第１リソース割り当てパラメータセットを使用して伝送要求変更されたサービスを共通に伝送するように指示することで、少ない制御シグナリングでＳＰＳの再構成を実現し、シグナリングオーバーヘッドを低減させることができる。
【０１３６】
以上、本発明の実施例におけるサービス伝送のための方法を詳しく説明しており、以下、本発明の実施例における移動局及びネットワークデバイスを詳しく説明する。
【０１３７】
図１０は本発明の１つの実施例における移動局１０００のブロック図である。図１０に示すように、移動局１０００は、処理モジュール１０１０及び受信モジュール１０２０を含む。
【０１３８】
処理モジュール１０１０は、半静的スケジューリングＳＰＳの方式で、第１リソース割り当てパラメータセットを使用して現在のサービスを伝送するように構成される。
【０１３９】
受信モジュール１０２０は、ネットワークデバイスにより送信された第１制御シグナリングを受信するように構成され、該第１制御シグナリングは、該移動局がＳＰＳの方式で、第２リソース割り当てパラメータセットを使用して該第１リソース割り当てパラメータセットの代わりに、要求変更されたサービスを伝送し、又は、第２リソース割り当てパラメータセットと該第１リソース割り当てパラメータセットを使用して要求変更されたサービスを伝送することを指示するために用いられる。
【０１４０】
該処理モジュール１０１０は、さらに、該第１制御シグナリングに従って、要求変更されたサービスを伝送するように構成され、ここで、該第１リソース割り当てパラメータセットと該第２リソース割り当てパラメータセットはいずれも、少なくとも１つのリソース割り当てパラメータを含む。
【０１４１】
あるいは、１つの実施例として、該第２リソース割り当てパラメータセットは、該ネットワークデバイスが現在伝送している第１サービス要求に従って確定されたものであり、該第１制御シグナリングは、該移動局がＳＰＳの方式で、第２リソース割り当てパラメータセットを使用して該第１リソース割り当てパラメータセットの代わりに、要求変更されたサービスを伝送することを指示するために用いられ、
該処理モジュール１０１０は、具体的に、
該第２リソース割り当てパラメータセットを使用して該第１リソース割り当てパラメータセットの代わりに、要求変更された第１サービスを伝送するように構成される。
【０１４２】
あるいは、他の１つの実施例として、該第２リソース割り当てパラメータセットは、該ネットワークデバイスが新規追加された第２サービス要求と現在伝送している第１サービス要求に従って確定されたのもであり、該第１制御シグナリングは、該移動局がＳＰＳの方式で、第２リソース割り当てパラメータセットを使用して該第１リソース割り当てパラメータセットの代わりに、要求変更されたサービスを伝送することを指示するために用いられ、
該処理モジュール１０１０は、具体的に、
該第２リソース割り当てパラメータセットを使用して該第１サービスと該第２サービスを伝送するように構成される。
【０１４３】
あるいは、他の１つの実施例として、該第２リソース割り当てパラメータセットは、該ネットワークデバイスが新規追加された第２サービス要求に従って確定されたのもであり、該第１制御シグナリングは、該移動局がＳＰＳの方式で、第２リソース割り当てパラメータセットと該第１リソース割り当てパラメータセットを使用して要求変更されたサービスを伝送することを指示するために用いられ、
該処理モジュール１０１０は、具体的に、
該第１リソース割り当てパラメータセットを使用して該第１サービスを伝送し、
該第２リソース割り当てパラメータセットを使用して該第２サービスを伝送するように構成される。
【０１４４】
本発明の実施例において、該第１制御シグナリングには、第１情報ドメインと第２情報ドメインが含まれ、該第１情報ドメインは、該第１リソース割り当てパラメータセットの情報をベアラするために用いられ、該第２情報ドメインは、該第２リソース割り当てパラメータセットの情報をベアラするために用いられる。
【０１４５】
あるいは、１つの実施例として、リソース割り当てパラメータセットのうちのリソース割り当てパラメータは、
伝送周期、転送ブロックサイズ、転送ブロック数、転送ブロックの位置、アップリンク電力制御パラメータ、変調符号化方式ＭＣＳ及びハイブリッド自動再送要求ＨＡＲＱプロセス数のうちの少なくとも１つを含む。
【０１４６】
あるいは、１つの実施例として、該受信モジュール１０１０は、さらに、
該ネットワークデバイスにより送信された第１制御シグナリングを受信する前に、該ネットワークデバイスにより送信された第２制御シグナリングを受信するように構成され、該第２制御シグナリングはＮ個のリソース割り当てパラメータセットを示し、該Ｎ個のリソース割り当てパラメータセットには、該第１リソース割り当てパラメータセットと該第２リソース割り当てパラメータセットが含まれる。
【０１４７】
あるいは、１つの実施例として、該第２制御シグナリングは無線リソース制御ＲＲＣシグナリングである。
【０１４８】
あるいは、１つの実施例として、該ネットワークデバイスと該移動局には、該Ｎ個のリソース割り当てパラメータセットとＮ個のインデックス識別子との1対1対応関係が含まれ、該第２制御シグナリングは、該Ｎ個のインデックス識別子を含む。
【０１４９】
あるいは、１つの実施例として、該第１制御シグナリングはインデックス識別子によって該第２リソース割り当てパラメータセットを示す。なお、該第３制御シグナリングはインデックス識別子によって該第１リソース割り当てパラメータセットを示すことができる。
【０１５０】
あるいは、１つの実施例として、該インデックス識別子は、番号又は無線ネットワーク一時識別子ＲＮＴＩを含む。
【０１５１】
あるいは、１つの実施例として、該第１制御シグナリングは、物理ダウンリンク制御チャネルＰＤＣＣＨである。なお、該第３制御シグナリングは、物理ダウンリンク制御チャネルＰＤＣＣＨであってもよい。
【０１５２】
なお、本発明の実施例において、受信モジュール１０２０は、送受信機によって実現することができ、処理モジュール１０１０はプロセッサと送受信機よって実現することができる。図１１に示すように、移動局１１００は、プロセッサ１１１０、送受信機１１２０及び記憶装置１１３０を含む。ここで、記憶装置１１３０はプロセッサ１１１０で実行されたコードなどを記憶するように構成されてもよい。
【０１５３】
移動局１１１０における各部材はバスシステム１１４０を介して結合され、バスシステム１１４０はデータバスに加えて、電源バス、制御バスと状態信号バスを含む。
【０１５４】
図１０に示す移動局１０００又は図１１に示す移動局１１００は前記図１〜図７の実施例において実現された各プロセスを実現することができるため、重複を回避するために、ここでは説明を省略する。
【０１５５】
なお、本発明の上記方法の実施例はプロセッサに応用されてもよく、又はプロセッサによって実現されてもよい。プロセッサは集積回路チップであるかもしれなく、信号処理能力を備えている。実現過程において、上記方法の実施例における各ステップはプロセッサにおけるハードウェアの集積論理回路又はソフトウェア形態のコマンドにより完了されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１５６】
なお、本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきものとして、本明細書に記載のシステムと方法のメモリはこれらといずれかの他の適切なタイプのメモリを含むことを図るがこれらに限定されない。
【０１５７】
図１２は本発明の１つの実施例におけるネットワークデバイス１２００のブロック図である。図１２に示すように、ネットワークデバイス１２００は、処理モジュール１２１０及び送信モジュール１２２０を含む。
【０１５８】
処理モジュール１２１０は、移動局のサービス要求の変更に従って、第２リソース割り当てパラメータセットを確定するように構成され、該移動局が現在、半静的スケジューリングＳＰＳの方式で、第１リソース割り当てパラメータセットを使用してサービスを伝送し、ここで、該第１リソース割り当てパラメータセットと該第２リソース割り当てパラメータセットはいずれも、少なくとも１つのリソース割り当てパラメータを含む。
【０１５９】
送信モジュール１２２０は、該移動局に第１制御シグナリングを送信するように構成され、該第１制御シグナリングは、該移動局がＳＰＳの方式で、第２リソース割り当てパラメータセットを使用して該第１リソース割り当てパラメータセットの代わりに、要求変更されたサービスを伝送し、又は、第２リソース割り当てパラメータセットと該第１リソース割り当てパラメータセットを使用して要求変更されたサービスを伝送することを指示するために用いられる。
【０１６０】
あるいは、１つの実施例として、該処理モジュール１２１０は、具体的に、現在伝送している第１サービス要求の変更に従って、伝送要求変更された第１サービスを伝送するための該第２リソース割り当てパラメータセットを確定するように構成され、
該第１制御シグナリングは、該移動局がＳＰＳの方式で、第２リソース割り当てパラメータセットを使用して該第１リソース割り当てパラメータセットの代わりに、要求変更された第１サービスを伝送することを指示するために用いられる。
【０１６１】
あるいは、他の１つの実施例として、該処理モジュール１２１０は、具体的に、新規追加された第２サービス要求と現在伝送している第１サービス要求に従って、伝送該第１サービスと該第２サービスを伝送するための該第２リソース割り当てパラメータセットを確定するように構成され、
該第１制御シグナリングは、該移動局がＳＰＳの方式で、第２リソース割り当てパラメータセットを使用して該第１リソース割り当てパラメータセットの代わりに、該第１サービスと該第２サービスを伝送することを指示するために用いられる。
【０１６２】
あるいは、他の１つの実施例として、該処理モジュール１２１０は、具体的に、新規追加された第２サービス要求に従って、伝送該第２サービスを伝送するための該第２リソース割り当てパラメータセットを確定し、該第１リソース割り当てパラメータセットをそのまま使用して該第１サービスを伝送することを確定するように構成され、
該第１制御シグナリングは、該移動局がＳＰＳの方式で、該第１リソース割り当てパラメータセットを使用して該第１サービスを伝送し、該第２リソース割り当てパラメータセットを使用して該第２サービスを伝送することを指示するために用いられる。
【０１６３】
本発明の実施例において、該第１制御シグナリングには、第１情報ドメインと第２情報ドメインが含まれ、該第１情報ドメインは、該第１リソース割り当てパラメータセットの情報をベアラするために用いられ、該第２情報ドメインは、該第２リソース割り当てパラメータセットの情報ををベアラするために用いられる。
【０１６４】
あるいは、１つの実施例として、リソース割り当てパラメータセットのうちのリソース割り当てパラメータは、
伝送周期、転送ブロックサイズ、転送ブロック数、転送ブロックの位置、アップリンク電力制御パラメータ、変調符号化方式ＭＣＳ及びハイブリッド自動再送要求ＨＡＲＱプロセス数のうちの少なくとも１つを含む。
【０１６５】
あるいは、１つの実施例として、該送信モジュール１２２０は、さらに、
処理モジュール１２１０が移動局のサービス要求の変更に従って、第２リソース割り当てパラメータセットを確定する前に、該移動局に第２制御シグナリングを送信するように構成され、該第２制御シグナリングは、Ｎ個のリソース割り当てパラメータセットを示すために用いられ、該Ｎ個のリソース割り当てパラメータセットは、該第１リソース割り当てパラメータセットと該第２リソース割り当てパラメータセットを含む。
【０１６６】
あるいは、１つの実施例として、該第２制御シグナリングは無線リソース制御ＲＲＣシグナリングである。
【０１６７】
あるいは、１つの実施例として、該ネットワークデバイスと該移動局には、Ｎ個のリソース割り当てパラメータセットとＮ個のインデックス識別子との1対1対応関係が含まれ、該第２制御シグナリングは該Ｎ個のインデックス識別子を含む。
【０１６８】
あるいは、１つの実施例として、該第１制御シグナリングは、インデックス識別子によって該第２リソース割り当てパラメータセットを示す。
【０１６９】
あるいは、１つの実施例として、該インデックス識別子は、番号又は無線ネットワーク一時識別子ＲＮＴＩを含む。
【０１７０】
あるいは、１つの実施例として、該第１制御シグナリングは物理ダウンリンク制御チャネルＰＤＣＣＨである。
【０１７１】
なお、本発明の実施例において、送信モジュール１２１０は送受信機によって実現され、確定モジュール１２２０は、プロセッサと送受信機によって実現することができる。図１３に示すように、ネットワークデバイス１３００は、プロセッサ１３１０、送受信機１３２０及び記憶装置１３３０を含むことができる。ここで、記憶装置１３３０はプロセッサ１３１０で実行されるコードなどを記憶するように構成されてもよい。
【０１７２】
ネットワークデバイス１３００における各部材はバスシステム１３４０を介して結合され、バスシステム１３４０はデータバスに加えて、電源バス、制御バスと状態信号バスを含む。
【０１７３】
図１２に示すネットワークデバイス１２００又は図１３に示すネットワークデバイス１３００は前記図１〜図７の実施例において実現された各プロセスを実現することができるため、繰り返しを回避するために、ここでは説明を省略する。
【０１７４】
なお、本発明の各種の実施例において、上記過程の番号の大きさは、実行の前後の順番を意味しなく、各過程の実行順番は、その機能及び内部ロジックによって確定され、本発明の実施例における実施過程を限定しなく。
【０１７５】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１７６】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１７７】
本出願が提供するいくつかの実施例では、開示されたシステム、装置および方法は他の方式により実現されてもよいと理解すべきである。上述した装置の実施例は例示的なものだけであり、例えば、前記ユニットの区分は論理機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１７８】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１７９】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１８０】
前記機能はソフトウェア機能ユニットの形態で実現され且つ独立した製品として販売または使用される場合、一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８１】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである
【図１】
2020099088.tif 000003
【図２】
2020099088.tif 000004
【図３】
2020099088.tif 000005
【図４】
2020099088.tif 000006
【図５】
2020099088.tif 000007
【図６】
2020099088.tif 000008
【図７】
2020099088.tif 000009
【図８】
2020099088.tif 000010
【図９】
2020099088.tif 000011
【図１０】
2020099088.tif 000012
【図１１】
2020099088.tif 000013
【図１２】
2020099088.tif 000014
【図１３】
2020099088.tif 000015